(57)【要約】【課題】  棚ケースに収納した収納棚を簡潔構造で、かつ円滑に昇降し、戸棚の中のものの取出しや収納を容易とする昇降式戸棚を提供すること。【解決手段】  戸棚ケース１１に収納され、上下方向にスライド可能の上下面が開口したスライドケース１２と、スライドケース１２に収納され、斜め前方にスライド可能の収納棚１３と、モータ駆動により回動するシャフト４２の両端にそれぞれ設けられた巻取りローラ４３と、収納棚１３の上面に設けられた第１のガイドローラ４４と、戸棚ケース１１の上面内側に設けられた第２のガイドローラ４５と、スライドケース１２の上面側後端に設けられた第３のガイドローラ４６と、巻取りローラ４３に一端が固定され、ガイドローラ４４、４５、４６に掛けられ他端が収納棚１３の上面に固定されるベルトとを備えることとした。【選択図】図１
2008012241.tif 000002
【特許請求の範囲】
【請求項１】
下側が開口した戸棚ケースと、前記戸棚ケースに収納され、上下方向にスライド可能の上下面が開口したスライドケースと、前記スライドケースに収納され、斜め前方にスライド可能の収納棚と、前記戸棚ケースの内側上方で水平横方向に設けられ、モータ駆動により回動するシャフトの両端にそれぞれ設けられた巻取りローラと、前記収納棚の上面に設けられた第１のガイドローラと、前記戸棚ケースの上面内側に設けられた第２のガイドローラと、前記スライドケースの上面側後端に設けられた第３のガイドローラと、前記巻取りローラに一端が固定され、前記第１、第２、第３のガイドローラに掛けられ、他端が前記収納棚の上面に固定されるベルトまたはワイヤとを備えたことを特徴とする昇降式戸棚。
【請求項２】
下側が開口した戸棚ケースと、前記戸棚ケースに収納され、斜め前方にスライド可能の収納棚と、前記戸棚ケースの内側上方で水平横方向に設けられ、モータ駆動により回動するシャフトの両端にそれぞれ設けられた巻取りローラと、前記収納棚の上面に設けられた第１のガイドローラと、前記戸棚ケースの上面内側に設けられた第２のガイドローラと、前記巻取りローラに一端が固定され、前記第１、第２のガイドローラに掛けられ、他端が前記収納棚の上面に固定されるベルトまたはワイヤとを備えたことを特徴とする昇降式戸棚。
【請求項３】
下側が開口した戸棚ケースと、前記戸棚ケースに収納され、上下方向にスライド可能の収納棚と、前記戸棚ケースの内側上方で水平横方向に設けられ、モータ駆動により回動するシャフトの両端にそれぞれ設けられた巻取りローラと、前記収納棚の上面に設けられた第１のガイドローラと、前記戸棚ケースの上面内側に設けられた第２のガイドローラと、前記巻取りローラに一端が固定され、前記第１、第２のガイドローラに掛けられ、他端が前記収納棚の上面に固定されるベルトまたはワイヤとを備えたことを特徴とする昇降式戸棚。
【請求項４】
前記第１のガイドローラを吊下げるコイルバネと、前記コイルバネの伸縮を検地するセンサを設けた荷重検出器を備え、前記第１のガイドローラに掛けられた前記ベルトまたはワイヤにかかる荷重を検出することを特徴とする請求項１から３のいずれか１項に記載の昇降式戸棚。
【請求項５】
前記戸棚ケースの側面内側に固定されるスライドガイドレールと、前記スライドケースまたは前記収納棚の側面に取り付けられ、前記スライドガイドレールに沿ってスライドするスライドローラとを設けたローラ式スライド機構とを備えたことを特徴とする請求項１から４のいずれか１項に記載の昇降式戸棚。
【発明の詳細な説明】
【技術分野】
【０００１】  本発明は、戸棚ケースに収納した収納棚を簡潔構造で、かつ円滑に昇降し、戸棚の中のものの取出しや収納を容易とする昇降式戸棚に関する。
【背景技術】
【０００２】  従来の戸棚には、流し台の上方の壁面などに設置設し、モータ駆動によりベルトを巻取り巻戻しすることにより底面が開口した戸棚ケースに収納した収納棚を上下方向に昇降可能にする昇降式戸棚がある（例えば、特許文献１参照）。
また、従来の戸棚には、流し台の上方の壁面などに設置設し、モータ駆動によりベルトを巻取り巻戻しすることにより底面が開口した戸棚ケースに収納する収納棚を昇降するとともに、収納棚を下降させたとき斜め前方にも引き出し可能とする昇降式戸棚もある（例えば、特許文献２参照）。
しかしながら、戸棚ケースに収納した戸棚を上下方向に昇降可能にする従来の昇降式戸棚は、収納棚を下降させたとき、取出しや収納を容易に行うことができるが、左右の端部までそれぞれ伸びる２本のベルトを巻取り巻戻しする昇降装置を必要とするため、複雑であり、また、円滑に収納棚を昇降するためには、戸棚ケースの内側と収納棚の外側との間に複数のベアリングを内装する複雑構成のスライドレールを必要とする。
また、戸棚ケースの内側と収納棚の外側との間に、斜め前方にスライドレールを設け、同様の昇降駆動機構により戸棚を斜め前方に昇降することもできるが、同じく、昇降装置が複雑であり、また、円滑に収納棚を昇降するためには、戸棚ケースの内側と収納棚の外側との間に複雑構成のスライドレールを必要とする。
さらに、モータ駆動によりベルトを巻取り巻戻しすることにより、戸棚ケースに収納する収納棚を昇降するとともに、収納棚を下降させたとき斜め前方にも引き出し可能にする従来の昇降式戸棚も、取出しや収納を容易に行うことができるが、左右の端部のそれぞれに設けたベルトを巻取り巻戻しする昇降装置が複雑であり、また、円滑に収納棚を昇降するためには、戸棚ケースの内側と収納棚の外側との間に複雑構成のスライドレールを必要とする。【０００３】
【特許文献１】  特開２００２−１１４４９７号公報
【特許文献２】  特開２００５−１３７８３０号公報
【発明の開示】
【発明が解決しようとする課題】
【０００４】  本発明は、上記に鑑みてなされたものであって、戸棚ケースに収納した収納棚を簡潔構造で、かつ円滑に昇降し、戸棚の中のものの取出しや収納を容易とする昇降式戸棚を提供することを目的とする。
【課題を解決するための手段】
【０００５】  本発明の昇降式戸棚は、下側が開口した戸棚ケースと、前記戸棚ケースに収納され、上下方向にスライド可能の上下面が開口したスライドケースと、前記スライドケースに収納され、斜め前方にスライド可能の収納棚と、前記戸棚ケースの内側上方で水平横方向に設けられ、モータ駆動により回動するシャフトの両端にそれぞれ設けられた巻取りローラと、前記収納棚の上面に設けられた第１のガイドローラと、前記戸棚ケースの上面内側に設けられた第２のガイドローラと、前記スライドケースの上面側後端に設けられた第３のガイドローラと、前記巻取りローラに一端が固定され、前記第１、第２、第３のガイドローラに掛けられ、他端が前記収納棚の上面に固定されるベルトまたはワイヤとを備えることとした。
また、本発明の昇降式戸棚は、下側が開口した戸棚ケースと、前記戸棚ケースに収納され、斜め前方にスライド可能の収納棚と、前記戸棚ケースの内側上方で水平横方向に設けられ、モータ駆動により回動するシャフトの両端にそれぞれ設けられた巻取りローラと、前記収納棚の上面に設けられた第１のガイドローラと、前記戸棚ケースの上面内側に設けられた第２のガイドローラと、前記巻取りローラに一端が固定され、前記第１、第２のガイドローラに掛けられ、他端が前記収納棚の上面に固定されるベルトまたはワイヤとを備えることとした。
また、本発明の昇降式戸棚は、下側が開口した戸棚ケースと、前記戸棚ケースに収納され、上下方向にスライド可能の収納棚と、前記戸棚ケースの内側上方で水平横方向に設けられ、モータ駆動により回動するシャフトの両端にそれぞれ設けられた巻取りローラと、前記収納棚の上面に設けられた第１のガイドローラと、前記戸棚ケースの上面内側に設けられた第２のガイドローラと、前記巻取りローラに一端が固定され、前記第１、第２のガイドローラに掛けられ、他端が前記収納棚の上面に固定されるベルトまたはワイヤとを備えることとした。
また、前記第１のガイドローラを吊下げるコイルバネと、前記コイルバネの伸縮を検地するセンサを設けた荷重検出器を備え、前記第１のガイドローラに掛けられた前記ベルトまたはワイヤにかかる荷重を検出することとした。
さらに、前記戸棚ケースの側面内側に固定されるスライドガイドレールと、前記スライドケースまたは前記収納棚の側面に取り付けられ、前記スライドガイドレールに沿ってスライドするスライドローラとを設けたローラ式スライド機構とを備えることとした。
【発明の効果】
【０００６】  本発明の昇降式戸棚は、下側が開口した戸棚ケースと、前記戸棚ケースに収納され、上下方向にスライド可能の上下面が開口したスライドケースと、前記スライドケースに収納され、斜め前方にスライド可能の収納棚と、前記戸棚ケースの内側上方で水平横方向に設けられ、モータ駆動により回動するシャフトの両端にそれぞれ設けられた巻取りローラと、前記収納棚の上面に設けられた第１のガイドローラと、前記戸棚ケースの上面内側に設けられた第２のガイドローラと、前記スライドケースの上面側後端に設けられた第３のガイドローラと、前記巻取りローラに一端が固定され、前記第１、第２、第３のガイドローラに掛けられ、他端が前記収納棚の上面に固定されるベルトまたはワイヤとを備えることとしたため、簡潔構造で、戸棚ケース１１に収納した収納棚１３を昇降するとともに斜め前方に引き出すことができ、収納棚１３の中のものの取出しや収納を容易にすることができる。
また、本発明の昇降式戸棚は、下側が開口した戸棚ケースと、前記戸棚ケースに収納され、斜め前方にスライド可能の収納棚と、前記戸棚ケースの内側上方で水平横方向に設けられ、モータ駆動により回動するシャフトの両端にそれぞれ設けられた巻取りローラと、前記収納棚の上面に設けられた第１のガイドローラと、前記戸棚ケースの上面内側に設けられた第２のガイドローラと、前記巻取りローラに一端が固定され、前記第１、第２のガイドローラに掛けられ、他端が前記収納棚の上面に固定されるベルトまたはワイヤとを備えることとしたため、簡潔構造で戸棚ケースに収納した収納棚を斜め前方に引き出すことができ、収納棚の中のものの取出しや収納を容易にすることができる。
また、本発明の昇降式戸棚は、下側が開口した戸棚ケースと、前記戸棚ケースに収納され、上下方向にスライド可能の収納棚と、前記戸棚ケースの内側上方で水平横方向に設けられ、モータ駆動により回動するシャフトの両端にそれぞれ設けられた巻取りローラと、前記収納棚の上面に設けられた第１のガイドローラと、前記戸棚ケースの上面内側に設けられた第２のガイドローラと、前記巻取りローラに一端が固定され、前記第１、第２のガイドローラに掛けられ、他端が前記収納棚の上面に固定されるベルトまたはワイヤとを備えることとしたため、簡潔構造で戸棚ケースに収納した収納棚を昇降することができ、収納棚の中のものの取出しや収納を容易にすることができる。
また、前記第１のガイドローラを吊下げるコイルバネと、前記コイルバネの伸縮を検地するセンサを設けた荷重検出器を備え、前記第１のガイドローラに掛けられた前記ベルトまたはワイヤにかかる荷重を検出することとしたため、ベルトまたはワイヤにかかる荷重が過荷重の状態を検知することができ、操作使用時の安全性を向上することができる。
さらに、前記戸棚ケースの側面内側に固定されるスライドガイドレールと、前記スライドケースまたは前記収納棚の側面に取り付けられ、前記スライドガイドレールに沿ってスライドするスライドローラとを設けたローラ式スライド機構とを備えることとしたため、簡潔構造で、スライドケースが戸棚ケースの内側を上下方向に円滑に移動ことができる。
【発明を実施するための最良の形態】
【０００７】  以下、本発明の実施の形態の昇降式戸棚につき図を用いて説明する。
【実施例１】
【０００８】  図１は、本発明の第１の実施の形態の昇降式戸棚の分解斜視図を示し、図１（ａ）は、昇降式戸棚の戸棚ケースの斜視図を示し、図１（ｂ）は、戸棚ケースに収納されるスライドケースの斜視図を示し、図１（ｃ）は、スライドケースに収納される収納棚の斜視図を示す。
図１に示すように、本発明の第１の実施の形態の昇降式戸棚は、戸棚ケース１１に昇降可能にスライドケース１２が収納され、スライドケース１２に収納される収納棚１３が斜め前方に引出し可能に収納されている。
図１（ａ）に示すように、戸棚ケース１１は、下側が開口するとともに、前方下方に開口部１１ａが形成され、スライドケース１２に収納される収納棚１３が開口部１１ａを通り斜め前方に引出される。戸棚ケース１１の内側上方には収納棚１３を移動させる図２に示す昇降装置４０が設置されている。
図１（ｂ）に示すように、スライドケース１２は、戸棚ケース１１の内側側面との間に設けられるローラ式スライド機構３０により矢印Ｄに示すように上下方向にスライド可能に収納され、戸棚ケース１１の上下面と前面とが開口している。
図１（ｃ）に示すように、収納棚１３は、スライドケース１２の内側側面との間に設けられるスライダ３６により矢印Ｚに示すように斜め前方にスライド可能に収納され、前面が開口している。収納棚１３が戸棚ケース１１から下降しても強度上戸棚ケースの下方外側まで下降できず一部は戸棚ケース１１の中に残るが、戸棚ケース１１の前面には開口部１１ａが設けられているため、収納棚１３が下降したとき収納棚１２の前面は全面的に開口する。また、戸棚ケース１１は、内部に設置されている昇降装置４０を覆い美観を維持し、収納棚１３が下降したときには、収納棚１２は、開口部１１ａを通り斜め前方に移動し、中のものの取出しや収納を容易にすることができる。【０００９】  図２は、本発明の第１の実施の形態の昇降式戸棚に設けられる昇降装置の斜視図を示す。
図２に示すように、昇降装置４０は、収納棚１３の上面側の中央位置で戸棚ケース１１（図１参照）の下側に駆動モータ４１が取付けられ、駆動モータ４１は、ＤＣモータ４１ａと、ＤＣモータ４１ａの回転数を減速しトルクを増大する減速器４１ｂとで構成され、減速器４１ｂは、戸棚ケース１１の内部に取付けられた回転軸４２に連結している。回転軸４２には巻取りローラ４３が取り付けられ、第１のガイドローラ４４が収納棚１３の上部の側面端部側に取り付けられ、第２のガイドローラ４５がシャフト４５ａにより戸棚ケース１１の上面内側に取付けられ、第３のガイドローラ４６がシャフト４６ａによりスライドケース１２の上面側の後端側に取付けられている。ベルト４９は、一方の端部が巻取りローラ４３に固定され、第１のガイドローラ４４、第２のガイドローラ４５、第３のガイドローラ４６に掛けられ、他方の端部が収納棚１３の上部に設けられたベルト固定部４７に固定されている。昇降装置４０の他方側も同様の構成となっている。
駆動モータ４１は、上昇スイッチ３７ａと下降スイッチ３７ｂとを有し、壁面などに設けられる操作スイッチ３７に接続している。上昇スイッチ３７ａが操作されると、駆動モータ４１は正転作動して巻取りローラ４３がベルト４９を巻き取って収納棚１３を上昇させ、下降スイッチ３７ｂが操作されると、逆転作動して巻取りローラ４３を逆転回動させ巻取りローラ４３に巻かれているベルト４９は巻き戻され収納棚１３を下降させ、さらに、収納棚１３を斜め前方に引出すことができる。【００１０】  図３は、本発明の第１の実施の形態の昇降式戸棚の側面図を示し、図３（ａ）は、収納棚が戸棚ケースに収納されているときの側面図を示し、図３（ｂ）は、収納棚が下降したときの側面図を示し、図３（ｃ）は、さらに収納棚が斜め前方に引出されたときの側面図を示す。
図３（ａ）に示すように、操作スイッチ３７の上昇スイッチ３７ａが操作されたときには、戸棚ケース１１の内側上部の中央に取り付けられた駆動モータ４１が作動して巻取りローラ４３が回動し、巻取りローラ４３に一方の端部が固定され、第１のガイドローラ４４、第２のガイドローラ４５、第３のガイドローラ４６に掛けられ、ベルト固定部４７で他方の端部が固定されたベルト４９が巻き上げられてスライドケース１２が上昇するとともに収納棚１３も上昇し、戸棚ケース１１に収納されている。
図３（ｂ）に示すように、操作スイッチ３７の下降スイッチ３７ｂが操作されたときには、駆動モータ４１が作動して巻取りローラ４３が回動し、ベルト４９が巻き戻され、スライドケース１２は収納棚１３の引出しが行われる所定の位置まで下降するが、まだ収納棚１３は、スライドケース１２の間で戸棚ケース１１の下方の位置に収納されている。
図３（ｃ）に示すように、スライドケース１２が所定の位置まで下降したとき駆動モータ４１が引き続き作動し、第３のガイドローラ４６に掛けたれたベルト４９が緩められると、戸棚ケース１１の前面には開口部１１ａが設けられているため、収納棚１３は、開口部１１ａを通りスライダ３７により斜め前方にスライド移動することができる。【００１１】  図４は、本発明の第１の実施の形態の昇降式戸棚に用いられる荷重検出器の開口側面図を示す。
図４に示すように、荷重検出器５０は、戸棚ケース１１の上面内側に固定されるケース５１の内部に取付けられ、第２のシャフト４５ａが支持部５５ａを介し支持されるコイルバネ５５と、コイルバネ５５の側方に取付けられる磁石５４付の磁気センサ５３とが設けられている。荷重検出器５０を取付けるときには、第２のガイドローラ４５のシャフト４５ａを上下に移動可能とする。
シャフト４５ａには、ベルト４９が掛けられる第２のガイドローラ４５が回転自在に取付けられている。ベルト４９に荷重がかかるとコイルバネ５５が伸び、磁石５４の周辺の磁気が変動するため、磁気の変動を磁気センサ５３で検出することにより、ベルト４９にかかる荷重を検出することができる。ベルト４９にかかる荷重を検出することにより、収納棚１３に特別の荷重が加わったりしたときなど、ベルト４９にかかる荷重が過荷重の状態を検知することができる。【００１２】  図５は、本発明の第１の実施の形態の昇降式戸棚に用いられる他の荷重検出器の開口側面図を示す。
図５に示すように、荷重検出器１５０は、戸棚ケース１１の上面内側に固定されるケース１５１の内部に取付けられ、第２のシャフト４５ａが支持部５５ａを介し支持されるコイルバネ１５５と、支持部５５ａとともに上下方向に摺動する摺動部１５２と、摺動部１５２の側方に取付けられる摺動子１５４付きの位置検出センサ１５３とが設けられている。位置検出センサ１５３は、内部の上下方向に設けられた抵抗体（図示せず）の上を摺動子１５４が移動するとき、摺動子１５４の位置を検出することができる。荷重検出器１５０を取付けるときには、第２のガイドローラ４５のシャフト４５ａを上下に移動可能とする。
シャフト４５ａには、ベルト４９が掛けられる第２のガイドローラ４５が回転自在に取付けられている。ベルト４９に荷重がかかるとコイルバネ５５が伸び、摺動子１５４の位置が変動するため、摺動子１５４の変動位置を位置検出センサ５３で検出することにより、ベルト４９にかかる荷重を検出することができる。ベルト４９にかかる荷重を検出することにより、収納棚１３に特別の荷重が加わったりしたときなど、ベルト４９にかかる荷重が過荷重の状態を検知することができる。【００１３】  図６は、本発明の第１の実施の形態の昇降式戸棚に取付けられるローラ式スライド機構の側面開口図を示し、図６（ａ）は、収納棚が戸棚ケースに収納されているときの側面開口図を示し、図６（ｂ）は、収納棚が戸棚ケースより下降したときの側面開口図を示す。
図７は、図６のＡＡ断面図を示す。
図６（ａ）と図７に示すように、ローラ式スライド機構３０は、断面がＨ字形状をし、戸棚ケース１１の内側側面に固定されるスライドガイドレール３１と、スライドケース１２の外側側面に固定される取付板３３と、取付板３３に回転自在に取付けられ、スライドガイドレール３１に互いに向き合い取付けられるスライドローラ３４とで構成され、戸棚ケース１１の内側側面とスライドケース１２の外側側面との間に取り付けられる。ローラ式スライド機構３０は、戸棚ケース１１の反対側の内側側面にも取付けられている。スライドケース１２は、昇降時にはスライドローラ３４の側面がスライドガイドレール３１の内側に接しながら回動し、上下方向に円滑に移動ことができる。
図６（ｂ）に示すように、収納棚１３が収納されたスライドケース１２は、ローラ式スライド機構３０により、戸棚ケース１１より下方に移動することができる。【００１４】  図８は、ローラ式スライド機構に横揺れ防止ローラを取付けたときの平面図を示す。
図８に示すように、横揺れ防止ローラ３５は、取付板３３に固定されるブラケット３５ａに回転自在に取付けられ、ローラ式スライド機構３０のスライドガイドレール３１に取付けられる。横揺れ防止ローラ３５は、戸棚ケース１１とスライドケース１２に直角方向で回転自在に取付けられスライドガイドレール３１に沿って回動しながら移動するため、スライドケース１２の横揺れの防止が的確に行われる。【００１５】  以上述べたように、本発明の第１の実施の形態の昇降引出し式戸棚は、簡潔構造で、戸棚ケース１１に収納した収納棚１３を昇降するとともに、斜め前方に引き出すことができ、収納棚１３の中のものの取出しや収納を容易にすることができる。
また、本発明の第１の実施の形態の昇降引出し式戸棚は、荷重検出器５０や荷重検出器１５０を設けることもできるため、収納棚１３に特別の荷重が加わったりしたときなど、ベルト４９にかかる荷重が過荷重の状態を検知することができ、操作使用時の安全性を向上することができる。
さらに、本発明の第１の実施の形態の昇降引出し式戸棚は、ローラ式スライド機構３０を設けるため、簡潔構造で、スライドケース１２が戸棚ケース１１の内側を上下方向に円滑に移動ことができる。
なお、ローラ式スライド機構３０は、収納棚１３とスライドケース１２のとの間に設けられるスライダ３６としても使用することができる。
【実施例２】
【００１６】  図９は、本発明の第２の実施の形態の昇降式戸棚の分解斜視図を示し、図９（ａ）は、昇降式戸棚の戸棚ケースの斜視図を示し、図９（ｂ）は、戸棚ケースに収納される収納棚の斜視図を示す。
図９に示すように、本発明の第１の実施の形態の昇降式戸棚は、戸棚ケース１４に収納棚１５が斜め前方に引出し可能に収納されている。
図９（ａ）に示すように、戸棚ケース１４は、下側が開口するとともに、前方下方に開口部１４ａが形成され、戸棚ケース１４に収納される収納棚１５が開口部１４ａを通り斜め前方に引出される。戸棚ケース１４の内側上方には収納棚１５を移動させる図９に示す昇降装置６０が設置されている。
図９（ｂ）に示すように、収納棚１５は、戸棚ケース１４の内側側面との間に傾斜して設けられるローラ式スライド機構７０により斜め前方にスライド可能に収納され、前面が開口している。戸棚ケース１４の前面には開口部１４ａが設けられているため、収納棚１２は、開口部１４ａを通り斜め前方に移動でき、斜め前方に移動したときには収納棚１２の前面は全面的に開口し、中のものの取出しや収納を容易にすることができる。また、戸棚ケース１４は、前面が開口部１４ａを除き覆われているため、内部に設置されている昇降装置６０を覆い美観を維持することができる。【００１７】  図１０は、本発明の第２の実施の形態の昇降式戸棚に設けられる昇降装置の斜視図を示す。
図１０に示すように、昇降装置６０は、収納棚１５の上面側の中央位置で戸棚ケース１４（図１参照）の下側に駆動モータ６１が取付けられ、駆動モータ６１は、ＤＣモータ６１ａと、ＤＣモータ６１ａの回転数を減速しトルクを増大する減速器６１ｂとで構成され、減速器６１ｂは、戸棚ケース１４の内部に取付けられた回転軸６２に連結している。回転軸６２には巻取りローラ６３が取り付けられ、第１のガイドローラ６４が収納棚１５の上部の側面端部側に取り付けられ、第２のガイドローラ６５がシャフト６５ａにより戸棚ケース１４の上面内側に取付けられている。ベルト６９は、一方の端部が巻取りローラ６３に固定され、第１のガイドローラ６４、第２のガイドローラ６５に掛けられ、他方の端部が収納棚１５の上部に設けられたベルト固定部６７に固定されている。昇降装置６０の他方側も同様の構成となっている。
駆動モータ６１は、上昇スイッチ３８ａと下降スイッチ３８ｂとを有し、壁面などに設けられる操作スイッチ３８に接続している。上昇スイッチ３８ａが操作されると、駆動モータ６１は正転作動して巻取りローラ６３がベルト６９を巻き取って収納棚１５を上昇させ、下降スイッチ３８ｂが操作されると、逆転作動して巻取りローラ６３を逆転回動させ巻取りローラ６３に巻かれているベルト６９は巻き戻され収納棚１５を斜め前方に引出すことができる。【００１８】  図１１は、本発明の第２の実施の形態の昇降式戸棚の側面図を示し、図１１（ａ）は、収納棚が戸棚ケースに収納されているときの側面図を示し、図１１（ｂ）は、収納棚が斜め前方に引出されたときの側面図を示す。
図１１（ａ）に示すように、操作スイッチ３８の上昇スイッチ３８ａが操作されたときには、戸棚ケース１４の内側上部の中央に取り付けられた駆動モータ６１が作動して巻取りローラ６３が回動し、巻取りローラ６３に一方の端部が固定され、第１のガイドローラ６４、第２のガイドローラ６５に掛けられ、ベルト固定部６７で他方の端部が固定されたベルト６９が巻き上げられて収納棚１５が上昇し、戸棚ケース１４に収納されている。
図１１（ｂ）に示すように、操作スイッチ３８の下降スイッチ３８ｂが操作されたときには、駆動モータ６１が作動して巻取りローラ６３が回動し、ベルト６９が巻き戻され、第１のガイドローラ６４に掛けたれたベルト６９が緩められると、戸棚ケース１４の前面には開口部１４ａが設けられているため、収納棚１５は、開口部１４ａを通り図９に示すローラ式スライド機構７０により斜め前方にスライド移動することができる。【００１９】  本発明の第２の実施の形態の昇降式戸棚は、第２のガイドローラ６５のシャフト６５ａを上下に移動可能とし、本発明の第１の実施の形態の昇降式戸棚に用いられる荷重検出器５０を図１０に示す昇降装置６０のシャフト６５ａに設けることができ、ベルト６９にかかる荷重を検出することにより、収納棚１５に特別の荷重が加わったりしたときなど、ベルト６９にかかる荷重が過荷重の状態を検知することができる。荷重検出器１５０も同様に、ベルト６９にかかる荷重が過荷重の状態を検知することができる。
また、戸棚ケース１４と収納棚１５との間に設けられるローラ式スライド機構７０は、本発明の第１の実施の形態の昇降式戸棚に用いられるローラ式スライド機構３０を斜めに取付け用いることができる。【００２０】  以上述べたように、本発明の第２の実施の形態の昇降引出し式戸棚は、簡潔構造で、戸棚ケース１４に収納した収納棚１５を斜め前方に引き出すことができ、収納棚１５の中のものの取出しや収納を容易にすることができる。
また、本発明の第２実施の形態の昇降引出し式戸棚は、荷重検出器５０または荷重検出器１５０を設けることもできるため、操作使用時の安全性を向上することができ、さらに、ローラ式スライド機構７０を設けるため、簡潔構造で、収納棚１５が戸棚ケース１４の内側を斜め上下方向に円滑に移動ことができる。
【実施例３】
【００２１】  図１２は、本発明の第３の実施の形態の昇降式戸棚の分解斜視図を示し、図１２（ａ）は、昇降式戸棚の戸棚ケースの斜視図を示し、図１２（ｂ）は、戸棚ケースに収納される収納棚の斜視図を示す。
図１２に示すように、本発明の第３の実施の形態の昇降式戸棚は、戸棚ケース１６に収納棚１７が昇降可能に収納されている。
図１２（ａ）に示すように、戸棚ケース１６は、下側が開口するとともに、前方下方に開口部１６ａが形成されている。戸棚ケース１６の内側上方には収納棚１７を移動させる昇降装置８０が設置されている。
図１２（ｂ）に示すように、収納棚１７は、戸棚ケース１６の内側側面との間に設けられるローラ式スライド機構９０により上下にスライド可能に収納され、前面が開口している。戸棚ケース１６の前面には開口部１６ａが設けられているため、下方に移動したときには収納棚１２の前面は全面的に開口し、中のものの取出しや収納を容易にすることができる。また、戸棚ケース１６は、前面が開口部１６ａを除き覆われているため、内部に設置されている昇降装置８０を覆い美観を維持することができる。
本発明の第３の実施の形態の昇降式戸棚に設けられる昇降装置９０は、本発明の第２実施の形態の昇降式戸棚に設けられる昇降装置６０と同様のものを使用する。【００２２】  図１３は、本発明の第３の実施の形態の昇降式戸棚の側面図を示し、図１３（ａ）は、収納棚が戸棚ケースに収納されているときの側面図を示し、図１３（ｂ）は、収納棚が下降したときの側面図を示す。
図１３（ａ）に示すように、操作スイッチ３９の上昇スイッチ３９ａが操作されたときには、戸棚ケース１６の内側上部の中央に取り付けられた駆動モータ８１が作動して巻取りローラ８３が回動し、巻取りローラ８３に一方の端部が固定され、第１のガイドローラ８４、第２のガイドローラ８５に掛けられ、ベルト固定部８７で他方の端部が固定されたベルト８９が巻き上げられて収納棚１７が上昇し、戸棚ケース１６に収納されている。
図１３（ｂ）に示すように、操作スイッチ３９の下降スイッチ３９ｂが操作されたときには、駆動モータ８１が作動して巻取りローラ８３が回動し、ベルト８９が巻き戻され、第１のガイドローラ８４に掛けたれたベルト８９が緩められると、収納棚１７は、図１２に示すローラ式スライド機構９０により下方にスライド移動することができる。【００２３】  本発明の第３の実施の形態の昇降式戸棚は、第２のガイドローラ８５のシャフトを上下に移動可能とし、本発明の第１の実施の形態の昇降式戸棚に用いられる荷重検出器５０を第２のガイドローラ８５のシャフトに設けることができ、ベルト８９にかかる荷重を検出することにより、収納棚１７に特別の荷重が加わったりしたときなど、ベルト８９にかかる荷重が過荷重の状態を検知することができる。
また、戸棚ケース１６と収納棚１７との間に設けられるローラ式スライド機構９０は、本発明の第１の実施の形態の昇降式戸棚に用いられるローラ式スライド機構３０を取付け用いることができる。【００２４】  以上述べたように、本発明の第３の実施の形態の昇降引出し式戸棚は、簡潔構造で、戸棚ケース１６に収納した収納棚１７を昇降することができ、収納棚１７の中のものの取出しや収納を容易にすることができる。
また、本発明の第３実施の形態の昇降引出し式戸棚は、荷重検出器５０または荷重検出器１５０を設けることもできるため、操作使用時の安全性を向上することができ、さらに、ローラ式スライド機構９０を設けることもできるため、簡潔構造で、収納棚１７が戸棚ケース１６内側を円滑に昇降することができる。
なお、本発明の上記の実施の形態の昇降式戸棚は、流し台の上方に設けられる以外に使用することができ、他の棚類についての同様のことを行うことができる。
さらに、本発明の実施の形態の昇降式戸棚は、駆動にベルトを使用することとしたが、ワイヤなどを使用することもできる。
【図面の簡単な説明】
【００２５】
【図１】  本発明の第１の実施の形態の昇降式戸棚の分解斜視図を示し、図１（ａ）は、昇降式戸棚の戸棚ケースの斜視図を示し、図１（ｂ）は、戸棚ケースに収納されるスライドケースの斜視図を示し、図１（ｃ）は、スライドケースに収納される収納棚の斜視図を示す。
【図２】  本発明の第１の実施の形態の昇降式戸棚に設けられる昇降装置の斜視図を示す。
【図３】  本発明の第１の実施の形態の昇降式戸棚の側面図を示し、図３（ａ）は、収納棚が戸棚ケースに収納されているときの側面図を示し、図３（ｂ）は、収納棚が下降したときの側面図を示し、図３（ｃ）は、さらに収納棚が斜め前方に引出されたときの側面図を示す。
【図４】  本発明の第１の実施の形態の昇降式戸棚に用いられる荷重検出器の開口側面図を示す。
【図５】  本発明の第１の実施の形態の昇降式戸棚に用いられる他の荷重検出器の開口側面図を示す。
【図６】  本発明の第１の実施の形態の昇降式戸棚に取付けられるローラ式スライド機構の側面開口図を示し、図６（ａ）は、収納棚が戸棚ケースに収納されているときの側面開口図を示し、図６（ｂ）は、収納棚が戸棚ケースより下降したときの側面開口図を示す。
【図７】  図７は、図６のＡＡ断面図を示す。
【図８】  ローラ式スライド機構に横揺れ防止ローラを取付けたときの平面図を示す。
【図９】  本発明の第２の実施の形態の昇降式戸棚の分解斜視図を示し、図９（ａ）は、昇降式戸棚の戸棚ケースの斜視図を示し、図９（ｂ）は、戸棚ケースに収納される収納棚の斜視図を示す。
【図１０】  本発明の第２の実施の形態の昇降式戸棚に設けられる昇降装置の斜視図を示す。
【図１１】  本発明の第２の実施の形態の昇降式戸棚の側面図を示し、図１１（ａ）は、収納棚が戸棚ケースに収納されているときの側面図を示し、図１１（ｂ）は、収納棚が斜め前方に引出されたときの側面図を示す。
【図１２】  本発明の第３の実施の形態の昇降式戸棚の分解斜視図を示し、図１２（ａ）は、昇降式戸棚の戸棚ケースの斜視図を示し、図１２（ｂ）は、戸棚ケースに収納される収納棚の斜視図を示す。
【図１３】  本発明の第３の実施の形態の昇降式戸棚の側面図を示し、図１３（ａ）は、収納棚が戸棚ケースに収納されているときの側面図を示し、図１３（ｂ）は、収納棚が下降したときの側面図を示す。
【符号の説明】
【００２６】  １１、１４、１６  戸棚ケース
１２  スライドケース
１３、１５、１７  収納棚
３０、７０、９０  ローラ式スライド機構
４０、６０、８０  昇降装置
４１、６１、８１  駆動モータ
４３、６３、８３  巻取りローラ
４４、６４、８４  第１のガイドローラ
４５、６５、８５  第２のガイドローラ
４６  第３のガイドローラ
４９、６９、８９  ベルト
５０  荷重検出器
５５  コイルバネ
５３  磁気センサ
３５  横揺れ防止ローラ
【図１】
2008012241.tif 000003
【図２】
2008012241.tif 000004
【図３】
2008012241.tif 000005
【図４】
2008012241.tif 000006
【図５】
2008012241.tif 000007
【図６】
2008012241.tif 000008
【図７】
2008012241.tif 000009
【図８】
2008012241.tif 000010
【図９】
2008012241.tif 000011
【図１０】
2008012241.tif 000012
【図１１】
2008012241.tif 000013
【図１２】
2008012241.tif 000014
【図１３】
2008012241.tif 000015